(57)【要約】【課題】  全長を短くしながらレジューサ部の長さを確保でき、先端の吸込部以外から空気を取り入れることなく騒音の低減が図れる掃除機用吸込具およびそれを有する掃除機を提供する。【解決手段】  掃除機に用いられる吸込具２は、吸込みを行うための先端の吸込部１０と、掃除機の吸込みパイプ５に着脱自在に装着される装着部１２と、吸込部１０から吸込みパイプ５側に向けて流路が広がるレジューサ部１１とを備えている。装着部１２は、レジューサ部１１の外側に設けられて吸込みパイプ５の内径部分に嵌まり込んで、吸込具２を吸込みパイプ５に装着させることができる。【選択図】        図２
2007130366.tif 000002
【特許請求の範囲】
【請求項１】
掃除機に用いられる吸込具において、
吸込みを行うための先端の吸込部と、
前記掃除機の吸込みパイプに着脱自在に装着可能な装着部と、
前記吸込部から吸込み先側に向けて流路が広がるレジューサ部と、を備え、
前記装着部は、前記レジューサ部の外側に設けられており且つ前記吸込みパイプの内径部分に嵌まり込み可能であること、を特徴とする掃除機用吸込具。
【請求項２】
前記装着部は、前記レジューサ部から径方向外側に延びるリング状リブであることを特徴とする請求項１に記載の掃除機用吸込具。
【請求項３】
前記装着部は、前記レジューサ部から軸方向に延びる筒状体であることを特徴とする請求項１に記載の掃除機用吸込具。
【請求項４】
吸込みパイプの先端に装着される吸込具を有する掃除機において、
前記吸込具は、
吸込みを行うための先端の吸込部と、
前記掃除機の吸込みパイプに着脱自在に装着される装着部と、
前記吸込部から吸込み先側に向けて流路が広がるレジューサ部と、を備え、
前記装着部は、前記レジューサ部の外側に設けられていて前記吸込みパイプの内径部分に嵌まり込むことを特徴とする掃除機用吸込具を有する掃除機。
【発明の詳細な説明】
【技術分野】
【０００１】
本発明は、掃除機の吸込みパイプの先端に装着可能な掃除機用吸込具、及び掃除機の吸込みパイプの先端に装着して用いられる掃除機用吸込具を有する掃除機に関する。
【背景技術】
【０００２】
従来の電気掃除機においては、隙間などに積もった又は取り残した塵を吸引するために、通常使用される主吸込具に代えて、図６に示すような構造を有するアタッチメントとしての掃除機用吸込具が使用されている。この吸込具は、掃除機の本体に接続される吸込みパイプに嵌め込むことで接続可能な円筒部５０、円筒部５０とは断面の大きさが異なる先端側の吸込部５１、及び円筒部５０と吸込部５１とを繋げて円筒部５０側にテーパー状に広がったレジューサ部５２を有している。
【０００３】
上記のアタッチメントとしての吸込具を使用しないときには、掃除機本体に設けられた収納部に吸込具を収納できるようにするために、吸込具の全長は短い方が良い。しかし吸込具の全長を短くしようとしてレジューサ部５２を短くすると、吸込部５１から入った空気の流れが円筒部５０側で急に拡大するために、いわゆる笛吹き音が発生してしまうことがある。
【０００４】
空気の吸込み時に取り入れる空気量を増やして騒音の発生を和らげるために、図７に示すように、先端の吸込部６１の穴６２以外に、円筒部６０に対して左右の空気取り入れ穴（図では一方のみを示す）６３を円筒部６０に設けたものがある（例えば特許文献１を参照）。
【特許文献１】特開２００５−１１０９０８号公報
【０００５】
ところが、この従来の吸込具を使用すると、騒音は低減されるが、空気の流速の低下が生じて塵の吸込み力が低下してしまうという問題があった。
【発明の開示】
【発明が解決しようとする課題】
【０００６】
そこで、吸込具に吸い込まれる空気の急激な拡大を回避しつつ、吸込具全体の長さを短く抑える得る点で解決すべき課題がある。
【０００７】
本発明の目的は、全長を短くしながらレジューサ部の長さを確保でき、先端の吸込部以外から空気を取り入れることなく騒音の低減を図ることができる掃除機用吸込具、及び掃除機用吸込具を有する掃除機を提供することである。
【課題を解決するための手段】
【０００８】
上記目的を達成するために、本発明は、掃除機に用いられる吸込具において、吸込みを行うための先端の吸込部と、掃除機の吸込みパイプに着脱自在に装着可能な装着部と、吸込部から吸込み先側に向けて流路が広がるレジューサ部と、を備え、装着部は、レジューサ部の外側に設けられて折り且つ吸込みパイプの内径部分にはまり込み可能であることを特徴とする掃除機用吸込具である。
【０００９】
上記掃除機用吸込具において、装着部を、レジューサ部から径方向外側に延びるリング状リブとすることができる。また、装着部を、レジューサ部から軸方向に延びる筒状体とすることができる。
【００１０】
また、本発明は、吸込みパイプの先端に装着される吸込具を有する掃除機において、吸込みを行うための先端の吸込部と、掃除機の吸込みパイプに着脱自在に装着される装着部と、吸込部から吸込み先側に向けて流路が広がるレジューサ部と、を備え、装着部は、レジューサ部の外側に設けられていて吸込みパイプの内径部分に嵌まり込むことを特徴とする掃除機用吸込具を有する掃除機である。
【発明の効果】
【００１１】
本発明による掃除機用吸込具又はそれを有する掃除機によれば、吸込具のレジューサ部の長さを確保しつつ装着部を確保し、しかも吸込具の全長を長くすることがないので、掃除機本体内への吸込具の収納を容易にすることができ、更に、吸込具の先端の吸込部以外から空気を取り入れることなく騒音の低減が図れる。
【発明を実施するための最良の形態】
【００１２】
以下、図面を参照して、本発明の好適な実施の形態を説明する。
図１は、本発明の第１実施形態を示しており、図１に示す電気掃除機は、掃除機本体１、アタッチメントとして備わる吸込具２、掃除機本体１に一端部が接続されるフレキシブルなホース３、ホース３の他端部に設けられるハンドル部分４、ハンドル部分４に先端側に接続される本体パイプとしての吸込みパイプ５、及び主吸込部品６を有している。掃除機本体１はモータを内蔵しており、モータの動作によりファンを駆動することで、主吸込部品６から吸込みパイプ５、ホース３を通じて吸引力が発生される。掃除機本体１は上部に収納ポケット部７を有しており、収納ポケット部７内に吸込具２が収納可能である。
【００１３】
フレキシブルなホース３は、掃除機本体１と、ハンドル部分４の吸込み用延長管である吸込みパイプ５を接続している。吸込みパイプ５の先端部１４には、吸込具２又は主吸込部品６が着脱自在に嵌合可能であり、掃除の用途に応じて選択して使用される。即ち、主吸込部品６は床や畳などの掃除を行うのに用いられ、主吸込部品６が入り込みにくい隙間や溝などの狭い部分を掃除する場合には、吸込具２が収納ポケット７から取り出されて用いられる。
【００１４】
次に、図２と図３を参照して、吸込具２の構造について説明する。
吸込具２は、吸込み口ツールとも呼ぶことができ、吸込部１０と、レジューサ部１１と、装着部１２とを有している。
【００１５】
吸込部１０は掃除の際に塵の吸込みを行うために先端側にあり、先端部には吸込み用の開口１３が形成されている。吸込み用の開口１３の断面形状は、例えば細長い矩形である。レジューサ部１１は、吸込部１０の吸込み先側（吸込み空気の流れ方向側）に繋がって形成されており、吸込み先側ほどテーパー状に断面積が広がってラッパ状に形成されている。吸込部１０とレジューサ部１１とは壁厚がほぼ一定の管に形成されており、掃除機の吸込み運転時には、開口１３から吸い込まれた空気が内部を通過可能である。
【００１６】
装着部１２は、レジューサ部１１の外周面１６に設けられている。装着部１２は、掃除機の吸込みパイプ５の先端部１４に対して吸込具２を着脱自在に装着するために用いられる部分である。装着部１２は、図示の例では、半径方向に突出して形成されている３つのリング状リブ１５により構成されている。
【００１７】
リング状リブ１５は、レジューサ部１１の軸方向に等間隔に隔置した位置においてレジューサ部１１の外周面１６から突出しており、各リング状リブ１５の外径寸法ｄは同じである。外径寸法ｄは、レジューサ部１１の最も広い部分１８の外径寸法ｆとほぼ同じであり、吸込みパイプ５の先端部１４の内径寸法ｍともほぼ同じである。即ち、各リブ１５は、これにより、レジューサ部１１は、図２の矢印Ｙ１で示すように、吸込みパイプ５の先端部１４内に嵌め込んで抜けないように着脱自在に接続可能となっている。
【００１８】
図３は、レジューサ部１１を吸込みパイプ５の先端部１４内に嵌め込んで接続した状態を示しており、図１の掃除機本体１のモータが作動すると、塵を含んだ空気は矢印Ｙ２方向に沿って吸込部１０とレジューサ部１１内を通過して吸込みパイプ５を通っていく。この場合に、少なくともレジューサ部１１の最も広い部分１８は、吸込みパイプ５の先端部１４の内周面に密着しているので、空気がこれらの隙間から吸込みパイプ５内に入り込むことなく、空気のそうした隙間からの入込みに起因した騒音をなくすことができる。
【００１９】
図２と図３の実施形態では、吸込具２は、先端の吸込み用の開口１３以外の部分からは空気を取り入れることがなく、吸込み力の低下を防ぐことができる。しかも、装着部１２の各リブ１５が、レジューサ部１１の外周面１６においてレジューサ部１１に対して同軸状に形成されており、レジューサ部１１と装着部１２は軸方向に関してオーバーラップして形成されているので、騒音対策のためにレジューサ部１１の全長方向（軸方向）の長さを確保しながらも、装着部１２のために付加的な長さについてはこれを必要としていない。したがって、吸込具２の軸方向に関する全長を、図１に示す収納ポケット７に収納できる長さに抑え、維持することができる。言い換えれば、吸込具２の全長の短縮化と収納ポケット７の小型化ができ、掃除機の小型化に寄与することができる。また、従来のような騒音低減用の大きな開口を、吸込み用の開口１３以外に設ける必要がない。
【００２０】
次に、図４と図５を参照して、第２の実施形態について説明する。
第２の実施形態は、装着部１２の形状において第１の実施形態と異なるが、第２の実施形態のその他の構成要素については、第１の実施形態と同じであるので、同じ符号を用いることで説明を省略する。
【００２１】
図４と図５に示すように、吸込具２０においては、装着部１２は筒状体２１を有しており、本例では、筒状部２１は、レジューサ部１１に対して同軸状の円筒体として形成されている。即ち、レジューサ部１１と装着部１２はオーバーラップして形成されている。筒状体２１の後端部がレジューサ部１１の後端部に対して連続して折り返すようにして一体的に形成されている。筒状体２１の外径寸法ｇは吸込みパイプ５の先端部１４の内径寸法ｍとほぼ同じであり、レジューサ部１１は、図４の矢印Ｙ１で示すように、吸込みパイプ５の先端部１４内に嵌め込んで抜けないように着脱自在に接続することができる。
【００２２】
図４に示すように、吸込具２０は、レジューサ部１１を吸込みパイプ５の先端部１４内に嵌め込んで接続されており、図１の掃除機本体１のモータが作動すると、塵を含んだ空気は矢印Ｙ２方向に沿って吸込部１０とレジューサ部１１内を通過して吸込みパイプ５を通っていく。この場合に、筒状体２１は、吸込みパイプ５の先端部１４の内周面に密着しているので、空気がこれらの隙間から入り込むことなく、空気が隙間から入り込むことに起因した騒音をなくすことができる。
【００２３】
吸込具２０は、先端の吸込み用の開口１３以外の部分からは空気を取り入れることがないので、吸込み力の低下を防ぐことができる。しかもレジューサ部１１の外周面１６において、装着部１２がレジューサ部１１に対して同軸状の筒状体２１によって構成されており、レジューサ部１１と装着部１２は軸方向に関してオーバーラップして形成されているので、騒音対策のためにレジューサ部１１の全長方向（軸方向）の長さを確保しながらも、装着部１２のために付加的な長さを必要としていない。したがって、吸込具２０の軸方向に関する全長を、図１に示す収納ポケット７に収納できる長さに抑え、維持することができる。言い換えれば吸込具２０の全長の短縮化と収納ポケット７の小型化ができ、掃除機の小型化に寄与する。また、従来のような騒音低減用の大きな開口を、吸込み用の開口１３以外に設ける必要がない。
【００２４】
本発明は、上記実施形態に限定されず、特許請求の範囲を逸脱しない範囲で種々の変更を行うことができる。上記実施形態の各構成は、その一部を省略する、或いは上記とは異なるように任意に組み合わせることができる。図示例では、装着部１２はレジューサ部１１の全長にわたって形成されてはいないが、レジューサ部１１の全長に渡って形成しても良い。吸込部１０の断面形状は図示例では矩形であるがこれに限らない。レジューサ部１１の断面形状や吸込みパイプ５や装着部１２についても、円形に限らず他の形状であっても良い。本発明の掃除機は、電気掃除機に限らず、モータを駆動源とする以外に他の駆動源を使用する例えば真空発生源を有する形式の掃除機でも良い。全周端又は一部の周端において、吸込みパイプ５の先端部１４の内面に嵌め合う仮想上の筒面上にある。
【００２５】
また、第１の実施形態においては、全てのリング状リブ１５が吸込みパイプとの密嵌する嵌合寸法関係にある必要はなく、少なくとも２つのリング状リブ１５、好ましくは軸方向両端のリング状リブ１５が上記の嵌合寸法関係を持つのが好ましい。また、各リング状リブ１５はその全周で吸込みパイプ５の先端部１４の内周面に密着する必要もなく、その一部が内周面に密着すればよいが、全周で密着する場合には、空気の吸込みに起因した騒音を確実になくすことができる。
【図面の簡単な説明】
【００２６】
【図１】本発明の掃除機用吸込具を有する掃除機の実施形態を示す図である。
【図２】図１に示す掃除機用の吸込具の一実施態様を示す図である。
【図３】図２に示す掃除機用の吸込具と吸込みパイプとの接続状態を示す図である。
【図４】掃除機用の吸込具の別の実施形態を示す図である。
【図５】図４に示す掃除機用の吸込具と吸込みパイプとの接続状態を示す図である。
【図６】従来の掃除機用の吸込具の例を示す斜視図である。
【図７】従来の掃除機用の吸込具の別例を示す斜視図である。
【符号の説明】
【００２７】
１  掃除機本体
２，２０  吸込具
５  吸込みパイプ
１０  吸込部
１１  レジューサ部
１２  装着部
１３  先端の吸込み用の開口
１５  リブ
２１  円筒部
【図１】
2007130366.tif 000003
【図２】
2007130366.tif 000004
【図３】
2007130366.tif 000005
【図４】
2007130366.tif 000006
【図５】
2007130366.tif 000007
【図６】
2007130366.tif 000008
【図７】
2007130366.tif 000009